(57)【特許請求の範囲】
【請求項１】
エンジンに設けられた複数の吸気ポートに下流端において連通するとともに、前記下流端から上流端へと湾曲しつつ延出する複数の並設された分岐管と、
前記分岐管のそれぞれの前記上流端に連通する吸気チャンバと、
前記吸気チャンバに下流端が連通する吸気導入管とを有し、
前記吸気導入管が、前記分岐管の隣り合う２つの間を前記吸気チャンバから前記分岐管と並列に延びる下流側部分と、前記下流側部分の上流端から前記分岐管と前記エンジンとの間に画成される空隙内を通って、複数の前記分岐管の配列方向へと延出する上流側部分とを含み、
前記上流側部分が、ＥＧＲガスを内部に導入するためのＥＧＲ導入孔を有することを特徴とする吸気装置。
【請求項２】
前記分岐管の下流端が、前記吸気ポートに対応する吸気通路を備えた吸気プレートを介して前記エンジンに連結され、
前記吸気プレートの延長部に、前記ＥＧＲ導入孔に連通するＥＧＲ通路を形成したことを特徴とする請求項１に記載の吸気装置。
【請求項３】
前記吸気プレートの前記延長部は、前記吸気ポートに設けられる燃料噴射弁へ燃料を供給する燃料供給管と前記吸気導入管の前記上流側部分との間に配置されることを特徴とする請求項２に記載の吸気装置。
【請求項４】
前記分岐管と、前記吸気チャンバと、前記吸気導入管とは、複数の樹脂製部材を組み合わせて構成され、
前記分岐管が、その下流端を前記吸気通路に連通するべく、前記吸気プレートに接合するための第１フランジ部を備え、
前記上流側部分が、前記ＥＧＲ導入孔を前記ＥＧＲ通路に連通するべく、前記吸気プレートの前記延長部に接合するための第２フランジ部を備え、
前記第１フランジ部と前記第２フランジ部とは、連続した１つの樹脂製部材に一体成形されていることを特徴とする請求項２または請求項３に記載の吸気装置。
【請求項５】
前記第１フランジ部の前記吸気プレートとの接合面と、前記第２フランジ部の前記延長部との接合面とは、単一の仮想平面上に配置されていることを特徴とする請求項４に記載の吸気装置。
【請求項６】
前記吸気導入管の前記上流側部分が、前記エンジンに対して車両前方側に配置されていることを特徴とする請求項３に記載の吸気装置。
【請求項７】
前記吸気導入管の前記上流側部分には、内部にスロットル弁を備えたスロットルボディが結合され、
前記吸気プレートの前記延長部は、前記吸気ポートに設けられる燃料噴射弁へ燃料を供給する燃料供給管と前記スロットルボディとの間に配置されることを特徴とする請求項２に記載の吸気装置。
【請求項８】
前記吸気導入管の前記下流側部分又は前記下流側部分と前記上流側部分との境界部に、ブローバイガスを前記吸気導入管の内部に導入するためのブローバイガス導入通路が設けられていることを特徴とする請求項１〜請求項７のいずれか１つの項に記載の吸気装置。
【請求項９】
前記ブローバイガス導入通路の外端には、前記エンジンからのブローバイガスを供給するためのブローバイガス供給管が接続されるジョイント部が突設され、
前記ジョイント部の少なくとも一部が、前記吸気導入管を挟んで隣り合う２つの前記分岐管の間の空間に配置されることを特徴とする請求項８に記載の吸気装置。
【発明の詳細な説明】
【技術分野】
【０００１】
本発明は、多気筒エンジンの吸気装置に関する。
【背景技術】
【０００２】
従来、エンジンの各吸気ポートにＥＧＲガスを導入するために、吸気マニホールドの分岐管とシリンダヘッドとの間に吸気プレートを介装し、この吸気プレートからＥＧＲガスを導入するようにしたものがある（例えば、特許文献１）。吸気プレートは、各吸気ポートと各分岐管とを連通する吸気通路と、ＥＧＲガスを導入するためのＥＧＲ通路とを備え、ＥＧＲ通路は分岐して各吸気通路に連通している。
【先行技術文献】
【特許文献】
【０００３】
【特許文献１】特開２００８−７５５２２号公報
【発明の概要】
【発明が解決しようとする課題】
【０００４】
しかしながら、特許文献１に記載の吸気装置では、吸気マニホールド下流の互いに分離した複数の吸気通路のそれぞれにＥＧＲガスを導入する都合上、ＥＧＲ通路が複雑な構成となっている。これに対して、ＥＧＲガスを導入する通路を１つにすべく、吸気マニホールドの上流側部分、すなわち空気が分岐されるよりも上流側の部分にＥＧＲガスを導入することが考え得る。例えば、複数の分岐管と、各分岐管の上流側に連続した吸気チャンバ（吸気集合部）と、吸気チャンバの上流側に連続した吸気導入管とを有する吸気マニホールドにおいて、吸気チャンバまたは吸気導入管にＥＧＲガスを導入する。しかしながら、ＥＧＲガスを導入する部分から各分岐管までの経路長が短いと、ＥＧＲガスと空気との混合が不十分になり、一部の吸気ポートにＥＧＲガスが偏って流入する虞がある。そのため、ＥＧＲガスは、可能な限り吸気導入管の上流側から導入することが好ましい。しかしながら、ＥＧＲガスと空気の均質性を高めるべく吸気導入管を長くすると、その分だけ吸気装置の外形寸法が大きくなり、エンジン全体が大型化する虞がある。【０００５】
本発明は、以上の背景を鑑みてなされたものであって、外形寸法の大型化を招かずに、吸気導入管内でＥＧＲガスと空気との均質性を高めることができる吸気装置を提供することを課題とする。
【課題を解決するための手段】
【０００６】
上記課題を解決するために、本発明は、エンジン（１０）に設けられた複数の吸気ポート（１４）に下流端において連通するとともに、前記下流端から上流端へと湾曲しつつ延出する複数の並設された分岐管（２７〜３０）と、前記分岐管のそれぞれの前記上流端に連通する吸気チャンバ（２６）と、前記吸気チャンバに下流端が連通する吸気導入管（２５）とを有し、前記吸気導入管が、前記分岐管の隣り合う２つの間を前記吸気チャンバから前記分岐管と並列に延びる下流側部分（３４）と、前記下流側部分の上流端から前記分岐管と前記エンジンとの間に画成される空隙内を通って、複数の前記分岐管の配列方向へと延出する上流側部分（３５）とを含み、前記上流側部分が、ＥＧＲガスを内部に導入するためのＥＧＲ導入孔（４１）を有することを特徴とする。【０００７】
この構成によれば、ＥＧＲガスは吸気導入管の上流側部分から導入されるため、各分岐管に到達するまでの距離を長くとることができ、空気との混合の程度が向上する。吸気導入管は、湾曲した分岐管によって形成されるデッドスペースに配置されるため、延長しても吸気装置の外形寸法に与える影響が小さい。【０００８】
本発明の他の側面は、前記分岐管の下流端が、前記吸気ポートに対応する吸気通路を備えた吸気プレート（２２）を介して前記エンジンに連結され、前記吸気プレートの延長部（７２）に、前記ＥＧＲ導入孔に連通するＥＧＲ通路（７４）を形成したことを特徴とする。【０００９】
この構成によれば、ＥＧＲ導入孔にＥＧＲガスを導入する管路を吸気プレートと一体に形成することができ、部品点数の削減および装置の簡素化が図れる。【００１０】
本発明の他の側面は、前記吸気プレートの前記延長部は、前記吸気ポートに設けられる燃料噴射弁へ燃料を供給する燃料供給管と前記吸気導入管の前記上流側部分との間に配置されることを特徴とする。【００１１】
この構成によれば、吸気導入管側からエンジンへと荷重が加わる場合に、吸気プレートの延長部が燃料供給管を保護し、燃料供給管に荷重が加わることを防止することができる。【００１２】
本発明の他の側面は、前記分岐管と、前記吸気チャンバと、前記吸気導入管とは、複数の樹脂製部材（５１〜５６）を組み合わせて構成され、前記分岐管が、その下流端を前記吸気通路に連通するべく、前記吸気プレートに接合するための第１フランジ部（３１）を備え、前記上流側部分が、前記ＥＧＲ導入孔を前記ＥＧＲ通路に連通するべく、前記吸気プレートの前記延長部に接合するための第２フランジ部（４２）を備え、前記第１フランジ部と前記第２フランジ部とは、連続した１つの樹脂製部材に一体成形されていることを特徴とする。【００１３】
この構成によれば、吸気装置が複数の部材を組み合わせることによって構成される場合に、第１フランジ部と第２フランジ部が１つの部材に形成されているため、各部材を組み合わせる際の接合誤差が第１フランジ部と第２フランジ部との相対位置関係に与える影響を小さくすることができる。【００１４】
本発明の他の側面は、前記第１フランジ部の前記吸気プレートとの接合面と、前記第２フランジ部の前記延長部との接合面とは、単一の仮想平面上に配置されていることを特徴とする。【００１５】
この構成によれば、第１フランジ部および第２フランジ部と吸気プレートとの接合を容易にすることができる。また、吸気プレートの第１フランジ部および第２フランジ部との接合部を１つの平面で構成することができ、吸気プレートの製造が容易になる。【００１６】
本発明の他の側面は、前記吸気導入管の前記上流側部分が、前記エンジンに対して車両前方側に配置されていることを特徴とする。【００１７】
この構成によれば、燃料供給管の前方に前記吸気導入管及び前記吸気プレートの延長部が配置され、前方からの荷重に対して燃料供給管が保護される。【００１８】
本発明の他の側面は、前記吸気導入管の前記上流側部分には、内部にスロットル弁を備えたスロットルボディ（２４）が結合され、前記吸気プレートの前記延長部は、前記吸気ポートに設けられる燃料噴射弁へ燃料を供給する燃料供給管と前記スロットルボディとの間に配置されることを特徴とする。【００１９】
この構成によれば、スロットルボディ側からエンジンへと荷重が加わる場合に、吸気プレートの延長部が燃料供給管を保護し、燃料供給管に荷重が加わることを防止することができる。【００２０】
本発明の他の側面は、前記吸気導入管の前記下流側部分又は前記下流側部分と前記上流側部分との境界部に、ブローバイガスを前記吸気導入管の内部に導入するためのブローバイガス導入通路が設けられていることを特徴とする。【００２１】
この構成によれば、各分岐管へと分岐する吸気チャンバよりも上流側における集合管部においてブローバイガスを導入するため、通路の構成を簡素化することができる。また、ブローバイガス導入孔が、ＥＧＲガス導入孔から離間した下流側に配置されるため、ブローバイガス中の油分によるＥＧＲ導入孔の閉塞の虞が低減される。【００２２】
本発明の他の側面は、前記ブローバイガス導入通路の外端には、前記エンジンからのブローバイガスを供給するためのブローバイガス供給管が接続されるジョイント部が突設され、前記ジョイント部の少なくとも一部が、前記吸気導入管を挟んで隣り合う２つの前記分岐管の間の空間に配置されることを特徴とする。【００２３】
この構成によれば、吸気導入管を挟んで隣り合う２つの分岐管の間の空間を利用して、ジョイント部及びブローバイガス供給管を配置することができるため、吸気装置のコンパクト化が図れる。
【発明の効果】
【００２４】
以上の構成によれば、吸気装置は、ＥＧＲガスを吸気導入管から導入することができ、吸気導入管内でＥＧＲガスと空気との均質性を高めることができる。また、吸気装置は、外形寸法の大型化を避けつつ、前記の効果を達成することができる。
【図面の簡単な説明】
【００２５】
【図１】第１実施形態に係る吸気装置を含むエンジンの分解斜視図
【図２】第１実施形態に係る吸気装置を含むエンジンを一部破断して示す平面図
【図３】第１実施形態に係る吸気装置を含むエンジンの側面図
【図４】第１実施形態に係る吸気装置を含むエンジンの側面図
【図５】第１実施形態に係る吸気装置を背部から見た分解斜視図
【図６】図２のVI−VI断面図
【図７】図２のVII−VII断面図
【図８】第２実施形態に係る吸気装置を含むエンジンの側面図
【図９】図８のIX−IX断面図
【図１０】第２実施形態に係る吸気装置の一部変形実施例を示す断面図
【発明を実施するための形態】
【００２６】
（第１実施形態）
以下、図面を参照して、本発明を自動車用エンジンの吸気装置に適用した第１実施形態について詳細に説明する。以下の説明では、自動車の前進方向を前方とする（図１の座標軸を参照）。
【００２７】
＜エンジンの全体構成＞
図１に示すように、４気筒エンジン１０（以下、単にエンジンという）は、クランク軸が左右方向に延在するように、自動車のエンジンルームに横置きに配置されるものである。エンジン１０は、図示しないシリンダブロックと、シリンダブロックの上部に締結されるシリンダヘッド１１と、シリンダヘッド１１の上部に締結されるヘッドカバー１２とを備えている。シリンダブロックには、それぞれ上下方向に延在するともに、左右方向に列設された４つの気筒（シリンダ）が形成されている。すなわち、各気筒は、略上下方向に延在するシリンダ軸線を有し、左右方向に延在するシリンダ列を形成している。各気筒には、コンロッドを介してクランク軸に連結されたピストンが摺動自在に収容されている。
【００２８】
シリンダヘッド１１の各気筒に対応する部分には、それぞれ燃焼室（図示しない）が凹設されている。各燃焼室からは、前方へと延びてシリンダヘッド１１の前側面１３に開口する吸気ポート１４と、後方へと延びてシリンダヘッド１１の後側面に開口する排気ポート（図示しない）とが形成されている。すなわち、吸気ポート１４は、シリンダ軸線方向（上下方向）及びシリンダ列方向（左右方向）に直交する前後方向に概ね沿って延在している。シリンダヘッド１１には、吸気ポート１４および排気ポートと燃焼室との間を開閉する吸気弁および排気弁が設けられている。ヘッドカバー１２は、下方が開口した箱形を呈し、開口端周縁に形成されたフランジ部においてシリンダヘッド１１に締結され、シリンダヘッド１１との間に空間を画成している。この空間内には、吸気弁および排気弁を駆動するために、カムシャフトやロッカアーム等から構成された動弁機構が設けられている。
【００２９】
また、シリンダヘッド１１の前側部分には、各吸気ポート１４に対応して燃料噴射弁１５がそれぞれ設けられている。各燃料噴射弁１５は、噴射孔が形成された内端が各吸気ポート１４内に突入する一方、外端がシリンダヘッド１１の上方へと突出している。各燃料噴射弁１５の外端は、左右方向に延在するデリバリパイプ１６にそれぞれ連結されている。デリバリパイプ１６は、前側面１３よりも上方に配置され、その左右方向における中間部に、左右方向に延在する第１フューエルパイプ１７の右端が連結されている。第１フューエルパイプ１７の左端は、シリンダヘッド１１の左前隅部の上方に配置されたフューエルジョイント１８に連結されている。フューエルジョイント１８には、燃料タンクから延びる第２フューエルパイプ１９が連結されている。これにより、燃料タンクに貯留された燃料が、第２フューエルパイプ１９、フューエルジョイント１８、第１フューエルパイプ１７、デリバリパイプ１６を順に経て各燃料噴射弁１５に供給されるようになっている。
【００３０】
＜吸気装置の構成＞
図１に示すように、シリンダヘッド１１の前側面１３には、空気を各吸気ポート１４に導入するための吸気装置２０が設けられている。吸気装置２０は、吸気マニホールド２１および吸気プレート２２、スロットルバルブ２３（図２参照）、いずれも図示しないエアフィルタ、エアインレットを備えている。吸気マニホールド２１は、吸気プレート２２を介してシリンダヘッド１１の前側面１３に締結される。
【００３１】
図１〜７に示すように、吸気マニホールド２１は、吸気導入管２５と、吸気チャンバ（吸気集合部）２６と、４つの分岐管２７〜３０とを備えている。各分岐管２７〜３０は、左右方向に列設されている。本実施形態では、左側から順に第１分岐管２７、第２分岐管２８、第３分岐管２９、第４分岐管３０とする。各分岐管２７〜３０は、下流端が後方に向けて開口するとともに、下流端から上流端へと前方（シリンダ軸線方向（上下方向）及びシリンダ列方向（左右方向）に直交する方向）に凸となるように湾曲しつつ上方に延出している。
【００３２】
図１〜図３に示すように、第１分岐管２７と第２分岐管２８とは、それぞれの上流側部分同士が左右方向において密接し、それぞれの下流側部分同士が左右方向において離間している。同様に、第３分岐管２９と第４分岐管３０とは、それぞれの上流側部分同士が左右方向において密接し、それぞれの下流側部分同士が左右方向において離間している。第２分岐管２８と第３分岐管２９とは、左右方向において離間している。第２分岐管２８と第３分岐管２９との上流側部分同士の間の距離は、各分岐管２７〜３０の外径よりも大きく設定されている。各分岐管２７〜３０には、それぞれの下流端同士を連結するように、一連の第１フランジ部３１が形成されている。
【００３３】
吸気チャンバ２６は、左右方向に延在する略直方体状の箱形を呈し、その前側壁３２が斜め下方を向くように傾斜して配置されている。また、吸気チャンバ２６は、少なくとも一部が、吸気ポート１４が開口する方向（前後方向）に対して直交する方向（上下方向）からエンジン１０（ヘッドカバー１２）に対向している。吸気チャンバ２６の前側壁３２には、各分岐管２７〜３０の上流端が左右方向に一列に連続し、吸気チャンバ２６と各分岐管２７〜３０との内部同士が連通している。
【００３４】
吸気導入管２５は、吸気チャンバ２６に連続する下流側部分３４と、下流側部分３４に連続する上流側部分３５とを備えている。吸気導入管２５の下流側部分３４および上流側部分３５は、分岐管２７〜３０よりも外径および内径がともに大きく形成されている。下流側部分３４の下端は、吸気チャンバ２６の前側壁３２において第２分岐管２８が連続する部分と、第３分岐管２９が連続する部分との間の部分に連続し、吸気チャンバ２６の内部と連通している。下流側部分３４は、第２分岐管２８と第３分岐管２９との間を、第２分岐管２８および第３分岐管２９に沿って延在している。下流側部分３４と上流側部分３５との境界は、第２分岐管２８の湾曲した部分の中間部に対応する部分にあり、上流側部分３５は下流側部分３４との境界部から第２分岐管２８の湾曲した部分の内方（後方）へと屈曲し、第２分岐管２８および第１分岐管２７の湾曲した部分の内方を左方向へと延出し、その上流端が第１分岐管２７の左方へと突出している。
【００３５】
図２および７に示すように、吸気チャンバ２６の内部であって、下流側部分３４が前側壁３２に連続する部分の左右側、すなわち下流側部分３４が前側壁３２に連続する部分と第２分岐管２８が前側壁３２に連続する部分および第３分岐管２９が前側壁３２に連続する部分との境界部には、一対の板状の吸気案内壁３６が設けられている。吸気案内壁３６は、主面が左右方向を向き、吸気チャンバ２６の前側壁３２から、前側壁３２の上端に連続する上壁３７と、前側壁３２の下端に連続する下壁３８とを連結するように吸気チャンバ２６の内方（後方）へと延出している。換言すると、吸気案内壁３６は、下流側部分３４の下端を吸気チャンバ２６内に延長するように設けられている。
【００３６】
上流側部分３５の前側部は、第１分岐管２７および第２分岐管２８の湾曲した部分の内周部（後部）と一体に連続している。なお、上流側部分３５の内部と、第１分岐管２７および第２分岐管２８の内部とは区画され、互いに連通はしていない。図５および図６に示すように、上流側部分３５の上流端（左端）近傍の後側部には、管の外部と内部とを連通するＥＧＲ導入孔４１が形成されている。ＥＧＲ導入孔４１の周縁部には接合面として機能する第２フランジ部４２が形成されている。第２フランジ部４２の接合面は、第１フランジ部３１の接合面を含む仮想平面上に配置されている。
【００３７】
上流側部分３５の上流端には、第３フランジ部４３が形成されている。図２に示すように、第３フランジ部４３には、スロットルバルブ２３の外殻をなすスロットルボディ２４が連結されている。スロットルボディ２４の上流側にはエアクリーナ等を介してエアインレットが設けられている。以上の構成により、エアインレットから取り入れられた空気は、エアクリーナおよびスロットルバルブを通過した後、吸気導入管２５、吸気チャンバ２６を経て各分岐管２７〜３０に分配されるようになっている。
【００３８】
吸気マニホールド２１は、樹脂材料の射出成形品である分割パーツを互いに接合することによって形成されている。本実施形態では、吸気マニホールド２１は、第１〜第６のパーツ５１〜５６からなり、各パーツ５１〜５６は互いの接合部に突き合わせ面を構成するフランジ部を有し、熱溶着や振動溶着によって互いに接合されている。
【００３９】
第１パーツ５１は、各分岐管２７〜３０の後側部分と、吸気チャンバ２６の下半部と、吸気導入管２５の上流側部分３５と、吸気導入管２５の下流側部分３４の下半部と、第１フランジ部３１と、第２フランジ部４２と、第３フランジ部４３とを一体に構成している。第１パーツ５１の各分岐管２７〜３０の後側部分は、各分岐管２７〜３０を円周方向において２分割した半割り形状を呈し、下流端から上流端にかけて延在し、湾曲した部分の内周側を構成している。また、第１パーツ５１を構成する各分岐管２７〜３０の後側部分は、各分岐管２７〜３０の長手方向における中間部に、各分岐管２７〜３０の全周を構成するリング部５７を有している。また、一対の吸気案内壁３６は、吸気チャンバ２６の下半部に一体的に形成されている。
【００４０】
第２パーツ５２は、吸気チャンバ２６の上半部と、各分岐管２７〜３０の上流前側部分と、吸気導入管２５の下流側部分３４の上半部とを一体に構成している。第２パーツ５２の各分岐管２７〜３０の上流前側部分は、各分岐管２７〜３０の上流端からリング部５７に到る部分の前側部分を構成し、第１パーツ５１と共に各分岐管２７〜３０の上流側部分を構成する。第２パーツ５２の吸気チャンバ２６の上半部は、第１パーツ５１の吸気チャンバ２６の下半部および吸気案内壁３６と共に吸気チャンバ２６を構成する。また、吸気チャンバ２６の上半部は、吸気チャンバ２６の下半部に形成された吸気案内壁３６の上端に接合される。第２パーツ５２の吸気導入管２５の下流側部分３４の上半部は、第１パーツ５１の吸気導入管２５の下流側部分３４の下半部および上流側部分３５と共に吸気導入管２５を構成する。
【００４１】
第３〜第６パーツ５３〜５６は、各分岐管２７〜３０の下流前側部分を構成している。第３〜第６パーツ５３〜５６は、各分岐管２７〜３０を円周方向において２分割した半割り形状を呈し、下流端からリング部５７にかけて延在し、湾曲した部分の外周側を構成している。第３〜第６パーツ５３〜５６は、第１パーツ５１の各分岐管２７〜３０の後側部分と共に各分岐管２７〜３０の下流側部分（湾曲した部分）を構成する。他の実施形態では、第３パーツ５３および第４パーツ５４を一部において連続させ、１つのパーツとしてもよい。第５パーツ５５および第６パーツ５６も同様に、１つのパーツとしてもよい。
【００４２】
図１に示すように、吸気プレート２２は、例えばアルミ合金等の金属材料から形成されたプレート部材であって、主面が前後方向を向くとともに、左右方向に延在する基部７１と、基部７１の左端から上方へと突出した延長部７２とを有する。延長部７２は、基部７１よりも前後方向に薄く、基部７１とともに１つの前面８１を形成するように、基部７１の前側に配置されている。基部７１には、前後方向に貫通する４つの吸気通路７３が左右方向に列設されている。
【００４３】
図１および図５に示すように、延長部７２の前面８１には、排気系から取り出した排気ガスの一部を流通させるためのＥＧＲ通路７４の前端が開口している。ＥＧＲ通路７４は、図５および図６に示すように、前端から延長部７２の内部を下方へと進んで基部７１内へと到り、後端が基部７１の後面左端部分に開口している。ＥＧＲ通路７４の前端には、ＥＧＲ導入管７５が接続される。ＥＧＲ導入管７５は、略く字状に屈曲した管であり、その後端がＥＧＲ通路７４の前端に嵌め入れられる。また、ＥＧＲ導入管７５は、後端から離れた位置に締結フランジ７６を備え、ボルト等により、延長部７２の前面８１に締結されている。ＥＧＲ導入管７５は、吸気プレート２２に締結された状態で、前端が延長部７２の前面８１に対して前方かつ右方へと突出した状態となる。
【００４４】
図５に示すように、吸気プレート２２の基部７１の後面８２には、ブローバイガスを各吸気通路７３に供給するためのブローバイガス分配溝７７が延設されている。ブローバイガス分配溝７７は、一端から他端にかけて４股に分岐して各吸気通路７３に連通している。吸気プレート２２がシリンダヘッド１１に取り付けられた状態で、ブローバイガス分配溝７７はシリンダヘッド１１の前側面１３と協働してブローバイガス分配通路を画成する。
【００４５】
シリンダヘッド１１には、ＥＧＲ供給路７８（図１、６参照）と、ブローバイガス供給路７９（図６）とが形成されている。ＥＧＲ供給路７８は、図示しない排気系から取り出した排気ガスを流通させるための通路であり、一端がシリンダヘッド１１の前側面１３の左端部に開口する一方、他端は制御バルブ等を介して排気系に連通している。ブローバイガス供給路７９は、各気筒からクランクケース内に漏出したブローバイガスを流通させるための通路であり、一端がシリンダヘッド１１の前側面１３に開口する一方、他端が例えばヘッドカバー１２に形成されたブリーザチャンバやオイルミストセパレータに連通している。
【００４６】
吸気マニホールド２１の第１フランジ部３１は、シリンダヘッド１１の前側面１３との間に吸気プレート２２を介装する態様で、ボルトによってシリンダヘッド１１の前側面１３に締結されている。なお、第１フランジ部３１の接合面と吸気プレート２２の前面８１との間、吸気プレート２２の後面８２とシリンダヘッド１１の前側面１３との間にはそれぞれガスケット（図示しない）が介装され、各部材は気密に締結されている。第１フランジ部３１が吸気プレート２２を介してシリンダヘッド１１の前側面１３に接合された状態では、分岐管２７〜３０が吸気通路７３を介して対応する吸気ポート１４に連通している。
【００４７】
また、図６に示すように、吸気プレート２２の後面８２に開口するＥＧＲ通路７４の後端は、シリンダヘッド１１の前側面１３に開口するＥＧＲ供給路７８に連通する。第２フランジ部４２は、吸気プレート２２の前面８１に開口するＥＧＲ通路７４の前端を囲むように、吸気プレート２２の延長部７２に当接し、前後方向から見てＥＧＲ通路７４の前端はＥＧＲ導入孔４１内に配置されるようになる。ＥＧＲ導入管７５は、ＥＧＲ導入孔４１を通過して、吸気導入管２５の上流側部分３５の内部に突入し、上流側部分３５の内部を下流側へと延びている。これにより、ＥＧＲ供給路７８から供給されるＥＧＲガスは、吸気プレート２２のＥＧＲ通路７４を通過して、吸気マニホールド２１の上流側部分３５内に導入される。
【００４８】
図６に示すように、吸気プレート２２がシリンダヘッド１１の前側面１３に接合された状態では、延長部７２は、第１フューエルパイプ１７の長手方向における一部の前方に配置される。これにより、延長部７２が第１フューエルパイプ１７の前方を覆い、エンジン１０に前方側から加えられる荷重に対して、延長部７２が第１フューエルパイプ１７を保護する。
【００４９】
吸気プレート２２がシリンダヘッド１１の前側面１３に接合された状態では、吸気プレート２２の後面８２に形成されたブローバイガス分配溝７７と前側面１３とが協働してブローバイガス分配通路が形成され、このブローバイガス分配通路は、前側面１３に開口するブローバイガス供給路７９と連通する。これにより、ブローバイガス供給路７９から供給されるブローバイガスは、ブローバイガス分配通路を通過して各吸気通路７３に供給される。
【００５０】
＜吸気装置の作用効果＞
以上のように構成した吸気装置２０では、各分岐管２７〜３０がシリンダヘッド１１の前側面１３から前方へと突出するとともに上方かつ後方へと湾曲し、吸気チャンバ２６がヘッドカバー１２に近接して配置されている。そして、吸気導入管２５が、各分岐管２７〜３０および吸気チャンバ２６と、シリンダヘッド１１およびヘッドカバー１２との間に形成されるデッドスペースに配置されている。このように、吸気導入管２５をデッドスペースに配置したため、吸気導入管２５を延長してもデッドスペース内が満たされるだけであり、吸気装置２０の外径寸法を比較的コンパクトにすることができ、エンジン１０全体のサイズに与える影響を小さくすることができる。
【００５１】
また、延長が可能な吸気導入管２５の上流側部分３５にＥＧＲ導入孔４１を設け、ＥＧＲガスを導入することによって、ＥＧＲガスを導入する部分から吸気チャンバ２６までの経路長を長くすることができる。これにより、吸気導入管２５内で空気とＥＧＲガスとがより均質に混合され、各分岐管２７〜３０に分配される空気のＥＧＲガス濃度をより均一にすることができる。また、吸気導入管２５にＥＧＲガスを導入する構成とすることで、各分岐管２７〜３０に個別にＥＧＲガスを導入する場合に比較してＥＧＲガスを流通させるための通路の数を削減することができ、吸気装置２０の構造を簡素化することができる。
【００５２】
吸気導入管２５および各分岐管２７〜３０は、一列に配置され、それぞれ吸気チャンバ２６に同じ方向から接続するため、吸気チャンバ２６に流入する空気と、吸気チャンバ２６から流出する空気の方向が逆になる。これにより、吸気チャンバ２６内で空気の方向転換が発生するため、吸気チャンバ２６内に空気が均一に満たされるようになる。これらの効果によって、吸気導入管２５から特定の分岐管２７〜３０に空気が集中して流れることが抑制され、各分岐管２７〜３０に供給される空気量が均一になる。また、吸気導入管２５および各分岐管２７〜３０の配置を左右対称にし、吸気導入管２５と第２分岐管２８および第３分岐管２９の間に吸気案内壁３６を設けたことによって、吸気導入管２５により隣接する第２分岐管２８および第３分岐管２９への空気の流れを阻害して、各分岐管２７〜３０に供給される空気量を均一にすることができる。
【００５３】
実施形態に係る吸気マニホールド２１は、６つの分割パーツ５１〜５６を接合することによって形成するようにしたが、吸気プレート２２との接合部をなす第１フランジ部３１および第２フランジ部４２を単一の第１パーツ５１上に形成するようにしたため、第１フランジ部３１および第２フランジ部４２の接合面の相対位置精度は、各パーツ５１〜５６の組立精度（溶着精度）に影響されない。これにより、吸気マニホールド２１と吸気プレート２２との接合精度が向上する。また、第１フランジ部３１および第２フランジ部４２の接合面は、１つの仮想平面上に配置されているため、吸気プレート２２の基部７１および延長部７２のそれぞれの前面８１を１つの連続した平面とすることができ、製造が容易となる。
【００５４】
実施形態に係る吸気プレート２２は、ＥＧＲガスを流通させるためのＥＧＲ通路７４と、ブローバイガスを流通させるためのブローバイガス分配溝７７とを一体に備えるため、ＥＧＲガスおよびブローバイガスを流通させるための通路を個別に形成する場合に比べ、部品点数の削減および構成の簡素化が図れる。また、吸気プレート２２の延長部７２は、第１フューエルパイプ１７の前方に延出し、前方から加えられる荷重に対して第１フューエルパイプ１７を保護することができる。また、第１フューエルパイプ１７の左方には、吸気プレート２２の延長部７２や、スロットルボディ２４、第３フランジ部４３が配置されており、第１フューエルパイプ１７は左方からの荷重に対して保護されている。
【００５５】
（第２実施形態）
第２実施形態に係る吸気装置１００は、第１実施形態の吸気装置２０と比較して吸気マニホールド１０１がブローバイガス導入通路１２０を有する点が大きく異なる。また、吸気マニホールド１０１の分割構造が、吸気マニホールド２１の分割構造と比較して異なる。以下の説明では、吸気装置１００について、吸気装置２０と同様の構成については、同一の符号を付し、説明を省略する。
【００５６】
図８及び９に示すように、吸気装置１００の吸気マニホールド１０１は、第１実施形態の吸気マニホールド２１と同様に、吸気導入管２５と、吸気チャンバ２６と、４つの分岐管２７〜３０と、第１フランジ部３１と、第２フランジ部４２とを備えている。第２フランジ部４２には、図示しないが吸気マニホールド２１と同様に、ＥＧＲ導入孔４１が形成されている。
【００５７】
吸気マニホールド１０１は、吸気マニホールド２１と異なり、樹脂材料の射出成形品である３つの分割パーツ（第１〜第３のパーツ１０５〜１０７）からなる。第１パーツ１０５は、第１フランジ部３１と、第１フランジ部３１に連続する各分岐管２７〜３０の後側部分１１１と、各分岐管２７〜２９の後側部分１１１に連続する吸気導入管２５の上流側部分３５と、各分岐管２７〜３０の後側部分１１１の下流端に連続する吸気チャンバ２６の前側部分１１２とを一体に有している。第２パーツ１０６は、各分岐管２７〜３０の前側部分１１３と、吸気導入管２５の下流側部分３４の前側部分１１４とを一体に有している。第３パーツ１０７は、吸気導入管２５の下流側部分３４の後側部分１１５と、吸気チャンバ２６の後側部分１１６と、下流側部分３４の後側部分１１５と吸気チャンバ２６の後側部分１１６とを連結する可撓性を有する連結片１１７とを一体に有している。第１〜第３のパーツ１０５〜１０７が互いに接合されることによって、吸気導入管２５の上流側部分３５及び下流側部分３４と、吸気チャンバ２６と、各分岐管２７〜３０とが画成される。
【００５８】
図９に示すように、吸気導入管２５の下流側部分３４の前端は、各分岐管２７〜３０の前端よりも後方に偏倚して配置されている。これにより、吸気マニホールド１０１は、吸気導入管２５の下流側部分３４において、後方へと凹設された窪み１１９を形成している。吸気導入管２５の下流側部分３４の上流端近傍の前面には、ブローバイガスを導入するための貫通孔であるブローバイガス導入通路１２０が形成されている。ブローバイガス導入通路１２０の孔縁には、前方へと突出する円筒状のボスであるジョイント部１２１が突設されている。本実施形態では、ブローバイガス導入通路１２０及びジョイント部１２１は、第２パーツ１０６に形成されている。ジョイント部１２１の前端は、各分岐管２７〜３０の前端よりも後方に配置されており、吸気マニホールド１０１が形成する窪み１１９から突出しないようになっている。
【００５９】
ジョイント部１２１には、ブローバイガスを供給する管であるブローバイガス供給管１２５の一端が接続される。ブローバイガス供給管１２５の他端は、シリンダヘッド１１又はシリンダブロック（図示しない）に形成されたブローバイガス供給通路（図示しない）に連結されている。ブローバイガス供給通路は、各気筒からクランクケース内に漏出したブローバイガスを流通させるための通路であり、その経路内にブリーザチャンバやオイルミストセパレータを備えてもよい。ブローバイガス供給管１２５は、少なくとも一部が窪み１１９内に配置されることが好ましい。第１フランジ部３１には、ブローバイガス供給管１２５の長手方向における一部を把持するためのクランプ１２６が設けられている。
【００６０】
以上のように構成した第２実施形態に係る吸気装置１００では、吸気が分岐する前の吸気導入管２５の下流側部分３４にブローバイガス導入通路１２０を形成したため、吸気が分岐した後の部分に導入した場合（例えば、第１実施形態の吸気装置２０）と比べてブローバイガス導入通路１２０の構成を簡素にすることができる。また、ブローバイガス供給通路をシリンダブロックに形成した場合に、ブローバイガス供給管１２５を短くすることができる。
【００６１】
また、ブローバイガス導入通路１２０は、吸気導入管２５の下流側部分３４に形成されているため、吸気導入管２５の上流側部分３５に形成されたＥＧＲ導入孔４１との間に距離を確保することができる。そのため、ブローバイガスの油分によるＥＧＲ導入孔４１の詰まりを防止することができる。ブローバイガス導入通路１２０の位置は、ブローバイガスの油分がＥＧＲ導入孔４１の詰まりに影響を与えない程度にＥＧＲ導入孔４１から下流側に離間していればよいため、図１０に示す一部変形実施例のように、吸気導入管２５の上流側部分３５の下流側部分３４との境界付近に、ブローバイガス導入通路１２０を設けてもよい。この場合は、ブローバイガス導入通路１２０及びジョイント部１２１は、第１パーツ１０５に形成される。
【００６２】
また、吸気マニホールド１０１が形成する窪み１１９内に、ジョイント部１２１及びブローバイガス供給管１２５を配置したため、ブローバイガス供給管１２５のレイアウトが簡素になると共に、吸気装置１００のコンパクト化が図れる。
【００６３】
本実施形態では、吸気導入管２５にブローバイガスが導入されるため、第１実施形態の吸気装置２０のように吸気プレート２２にブローバイガス分配溝７７を設ける必要がない。そのため、吸気プレート２２を省略することが可能である。吸気プレート２２を省略する場合には、吸気マニホールド１０１のＥＧＲ導入孔４１と、シリンダヘッド１１のＥＧＲ供給路７８とを他の管路によって接続するとよい。この管路は、吸気マニホールド１０１又はシリンダヘッド１１と一体に形成してもよい。
【００６４】
以上で具体的実施形態の説明を終えるが、本発明は上記実施形態に限定されることなく幅広く変形実施することができる。例えば、各分岐管２７〜３０を下流端から上流端へと下方に湾曲させ、吸気チャンバ２６を吸気ポート１４よりも下方に配置してもよい。この場合、吸気チャンバ２６をシリンダブロックに近接して配置し、吸気導入管２５を各分岐管２７〜３０とシリンダブロックの間に配置するとよい。すなわち、この場合の吸気マニホールドは、上述した実施形態の吸気マニホールド２１と概ね上下対称の形態となる。また、エンジン１０は、シリンダ軸線が前後方向又は左右方向と平行になるように水平配置されていてもよい。
【符号の説明】
【００６５】
１０…エンジン、１１…シリンダヘッド、１３…前側面、１４…吸気ポート、１５…燃料噴射装置、１６…デリバリパイプ、１７…第１フューエルパイプ、２０、１００…吸気装置、２１、１０１…吸気マニホールド、２２…吸気プレート、２５…吸気導入管、２６…吸気チャンバ、２７〜３０…分岐管、３１…第１フランジ部、３４…下流側部分、３５…上流側部分、３６…吸気案内壁、３７…上壁、３８…下壁、４１…ＥＧＲ導入孔、４２…第２フランジ部、４３…第３フランジ部、５１〜５６…分割パーツ、７１…基部、７２…延長部、７３…吸気通路、７４…ＥＧＲ通路、７５…ＥＧＲ導入管、１２０…ブローバイガス導入通路、１２１…ジョイント部、１２５…ブローバイガス供給管
【図１】
0005512815.tif 000002
【図２】
0005512815.tif 000003
【図３】
0005512815.tif 000004
【図４】
0005512815.tif 000005
【図５】
0005512815.tif 000006
【図６】
0005512815.tif 000007
【図７】
0005512815.tif 000008
【図８】
0005512815.tif 000009
【図９】
0005512815.tif 000010
【図１０】
0005512815.tif 000011